(57)【要約】【課題】絞り羽根の両側に大きなスペースを必要としない、また、絞り羽根の駆動部も小型化可能な光量調整装置、及び撮像装置を提供すること。【解決手段】本発明に係る絞り装置は、ベース６５上に、第１直進絞り羽根６１、第２直進絞り羽根６２、第３直進絞り羽根６３、第４直進絞り羽根６４がそれぞれ、第１直進絞り羽根駆動ボス６６１、第２直進絞り羽根駆動ボス６６２、第３直進絞り羽根駆動ボス６６３、第４直進絞り羽根駆動ボス６６４を介して、駆動アーム回転軸６６５から等距離で駆動アーム６６に係止されている。そして、駆動アーム６６を回動駆動することにより、それぞれ一対の２組からなる４枚の直進絞り羽根を連動して直動させ、開口形状６０２が、光軸を中心とした円に近い多角形を形成するようにする。【選択図】図４
2014197182.tif 000002
【特許請求の範囲】
【請求項１】
光学系の光軸を中心とする絞り用開口の大きさを調整する光量調整装置であって、
前記絞り用開口の対向する箇所に前記光軸と直交する平面に沿って前記光軸に対して接
離する方向にスライド可能に設けられた第１の直進絞り羽根および第２の直進絞り羽根か
らなる一対の直進絞り羽根の組と、
前記絞り用開口の対向する箇所に前記光軸と平行する軸心を中心として、前記一対の直
進絞り羽根の組とは直交する方向であり、前記光軸に対して接離する方向にスライド可能
に設けられた第３の直進絞り羽根および第４の直進絞り羽根からなる一対の直進絞り羽根
の他の組と、
前記２組からなる一対の直進絞り羽根である前記第１，第２，第３及び第４の直進絞り
羽根をスライドさせることで前記絞り用開口の大きさを調整する駆動手段とを備え、
前記駆動手段の駆動により、前記第１，第２，第３及び第４の直進絞り羽根で形成され
る絞り用開口の形状を略相似形状に維持して開口径を可変とすることを特徴とする光量調
整装置。
【請求項２】
前記第１，第２、第３及び第４の直進絞り羽根で形成される絞り用開口は多角形形状で
あることを特徴とする請求項１に記載の光量調整装置。
【請求項３】
前記多角形形状の絞り用開口は略八角形形状であって、前記第１，第２，第３及び第４
の直進絞り羽根の輪郭形状が前記開口部形状の八角形の頂点の１頂点の形状をそれぞれ成
しており、前記第１，第２，第３及び第４の直進絞り羽根は、前記各頂点から光軸中心方
向にそれぞれ移動し、前記それぞれの輪郭形状が前記開口部の一辺を形成することを特徴
とする請求項２に記載の光量調整装置。
【請求項４】
請求項１乃至請求項３のいずれか１項に記載の光量調整装置が設けられていることを特
徴とする撮像装置。
【発明の詳細な説明】
【技術分野】
【０００１】
本発明は光量調整装置、及び撮像装置に関する。特に、ビデオカメラに搭載されボケ味
やゴースト形状の品位が良好な光量調整装置、及びそれを用いた撮像装置に関する。
【背景技術】
【０００２】
一般的に、撮像装置の光量調整装置として用いられる絞り装置は、絞り羽根で形成され
、その開口形状が円形に近い程ソフトフォーカスやポートレートでのいわゆるボケ味は美
しく、品位が良好となることが知られている。また、逆光下で生じるゴースト形状は、絞
り羽根で形成される開口形状と相似になるため、開口形状が円形に近い程、ゴースト形状
の品位は良好になることが知られている。従って、絞り羽根で形成される開口形状をでき
るだけ円形に近づけて、ボケ味やゴースト形状の品位をより良好にすることが、常に望ま
れている。
【０００３】
これに応えて、一眼レフ等の高性能なカメラに用いられる撮像レンズに搭載される絞り
装置は、絞り羽根を、光軸を中心として周方向に６枚、あるいは８枚配接し、各絞り羽根
を光軸に直交する面内で光軸に対して離接するように駆動するいわゆる虹彩絞り構造を有
するものが多い。この構造によれば、絞り羽根により形成される開口形状がそれぞれ六角
形、あるいは八角形になり円形に近づくので、ボケ味やゴースト形状の品位を良化するこ
とができる。
【０００４】
ところで、小型のデジタルスチルカメラあるいは、動画像の撮像が主体のいわゆるビデ
オカメラ等は、小型化、薄型化、軽量化が望まれるため上述のように、絞り羽根を光軸を
中心として周方向に複数枚配接し、各絞り羽根を光軸に直交する面内で光軸に対して離接
するように駆動する虹彩絞り構造を採用することが困難である。
【０００５】
そのため、一対の直進絞り羽根と、一対の揺動絞り羽根とを設け、直進絞り羽根をスラ
イドさせると共に揺動絞り羽根を揺動させることで絞り用開口の大きさを調整するように
し、形成される絞り開口の形状を絞り開口の大きさに拘わらず略円形あるいは略正六角形
とすることができ、絞り開口の周囲のスペースを縮小することができる光量調整装置が提
案されている（ 特許文献１参照）。
【０００６】
虹彩絞り構造に対して、デジタルスチルカメラやビデオカメラ等の光量調整装置は、絞
り開口を挟み、光軸と直交する直線に沿って２枚の絞り羽根をスライドさせる構造が採用
されているものがある。この構造は、絞り羽根の両側に大きなスペースを必要としないの
で小型化を図る上で有利である（ 特許文献２参照）。
【先行技術文献】
【特許文献】
【０００７】
【特許文献１】特開２００９−１１５８３１号公報
【特許文献２】特開２０１１−０９００２８号公報
【発明の概要】
【発明が解決しようとする課題】
【０００８】
しかしながら、特許文献１の提案では直進絞り羽根と複数の揺動絞り羽根とさらに揺動
絞り羽根を駆動部とからなるベース部材を備えており、部品点数が多く構造が複雑であり
、絞り羽根に平行な面での構造は簡素化できるが、撮像装置全体の小型化が難しい、ある
いは筺体の形状に制約が生じるという問題があった。
また、特許文献２の提案では、絞り羽根の両側に大きなスペースを必要せず、絞り羽根
構造は簡素化できるが、直線状の羽根駆動レバーを有する構造であり、やはり、撮像装置
全体の小型化が難しい、あるいは筺体の形状に制約が生じるという問題があった。
【０００９】
本発明は、上記の課題に鑑みてなされたものであり、絞り開口を挟み、光軸と直交する
直線に沿って２枚の絞り羽根をスライドさせる構造を２組備え、これら絞り羽根を略十字
形状の駆動アームにより、駆動アームの回転により互いに反対方向に直動するよう駆動さ
せ、絞り羽根の両側に大きなスペースを必要としない、また、絞り羽根の駆動部も小型化
可能であり、さらには、駆動アーム長を短くすることができるため駆動装置は低トルクで
絞り羽根を閉じることが可能となり、絞り装置の消費電力を抑制可能な光量調整装置、及
び撮像装置を提供することを目的とする。
【課題を解決するための手段】
【００１０】
本発明は、上記課題を解決するために、以下に記載の手段よりなる。
すなわち、
光学系の光軸を中心とする絞り用開口の大きさを調整する光量調整装置であって、
前記絞り用開口の対向する箇所に前記光軸と直交する平面に沿って前記光軸に対して接
離する方向にスライド可能に設けられた第１の直進絞り羽根および第２の直進絞り羽根か
らなる一対の直進絞り羽根の組と、
前記絞り用開口の対向する箇所に前記光軸と平行する軸心を中心として、前記一対の直
進絞り羽根の組とは直行する方向であり、前記光軸に対して接離する方向にスライド可能
に設けられた第３の直進絞り羽根および第４の直進絞り羽根からなる一対の直進絞り羽根
の他の組と、
前記２組からなる一対の直進絞り羽根である前記第１，第２，第３及び第４の直進絞り羽
根をスライドさせることで前記絞り用開口の大きさを調整する駆動手段とを備え、
前記駆動手段の駆動により、前記第１，第２，第３及び第４の直進絞り羽根で形成され
る絞り用開口の形状を略相似形状に維持して開口径を可変とすることを特徴とする光量調
整装置。
【発明の効果】
【００１１】
本発明により、絞り羽根の両側に大きなスペースを必要としない、また、絞り羽根の駆
動部も小型化可能な光量調整装置、及び撮像装置を提供することができる。
【図面の簡単な説明】
【００１２】
【図１】実施の形態に適用される撮像装置の構成を側面上方から見た斜視図である。
【図２】実施の形態に適用される撮像装置をモニタ部側の側面下方からみた斜視図である。
【図３】実施の形態に適用される光量調整装置の動作を説明するための概念図である。
【図４】実施の形態に適用される光量調整装置を説明するための図である。
【図５】実施の形態に適用される第１直進絞り羽根を説明するための図である。
【図６】実施の形態に適用される第２直進絞り羽根を説明するための図である。
【図７】実施の形態に適用される第３直進絞り羽根を説明するための図である。
【図８】実施の形態に適用される第４直進絞り羽根を説明するための図である。
【図９】実施の形態に適用される絞り装置のベースを説明するための図である。
【図１０】実施の形態に適用される絞り装置の駆動アームを説明するための図である。
【図１１】実施の形態に適用される絞り装置の組み立て図である。
【図１２】実施の形態に適用される絞り装置の開口形状を説明するための図である。
【図１３】実施の形態に適用される絞り装置の開口形状を説明するための図である。
【発明を実施するための形態】
【００１３】
以下、本発明に係る光量調整装置、及び撮像装置を実施するための好適な実施形態につ
いて説明する。
【００１４】
図１、及び図２は、本実施の形態に係る撮像装置１００の全体的な構成を示す斜視図で
ある。図１は、撮像装置１００を左前方から見た斜視図であり、図２は、撮像装置１００
を右前方から見た斜視図である。以下の説明では、説明の明確化のため、図に示すような
ｘｙｚ直交座標系を用いて、説明を行う。
【００１５】
ここでは、ｚ軸が、撮像装置１００の前後方向を示し、ｙ軸が撮像装置１００の上下方
向（鉛直方向）を示し、ｘ軸が撮像装置１００の左右方向（横方向）を示している。すな
わち、ｚ方向が、撮像装置１００に設けられたレンズの光軸に平行な方向であり、ｙ軸方
向、及びｘ軸方向が撮像装置１００に設けられたレンズの光軸と垂直な方向である。さら
に、レンズ６側を被写体（物体）側に向け、レンズ６と反対側をユーザ側に向け、かつ、
操作部１８を上方に向けてユーザが撮像装置１００を把持した状態において、撮像装置１
００を把持するユーザを基準に方向を特定する。すなわち、＋ｘ軸側が左側、−ｘ軸側が
右側、＋ｙ軸側が上方側、−ｙ軸側が下方側、＋ｚ側が後側（背面側）、−ｚ側が前側（
前面側）とする。もちろん、上記の方向は、相対的なものであり、撮像装置１００の向き
に応じて変化する。
【００１６】
図１、図２に示すように、撮像装置１００は、本体部５と、モニタ部３と、レンズ６と
、レンズバリア１０と、操作部１８とを有している。撮像装置１００は、手ブレ補正機構
を有している。
【００１７】
本体部５は、略直方体形状を有しており、レンズ６を有するレンズ鏡筒、撮像素子を有
する手ブレ補正機構、制御回路、及びメモリなどが内蔵されている。そして、本体部５の
前面には、レンズ６を覆うレンズバリア１０が設けられている。このレンズバリア１０が
開くことで、レンズ６が露出して、撮像可能な状態となる。さらに、本体部５の右側面の
前方側には、レンズバリア１０の開閉を切り替えるためのレバー１７が設けられている。
本体部５の上面には、操作ボタンなどを有する操作部１８が設けられている。操作部１８
は、録画開始ボタン、録画終了ボタン等を備えている。ユーザが、操作部１８を操作する
ことで、被写体を撮像することができる。
【００１８】
図２に示すように、本体部５の左側面には、モニタ部３が設けられている。モニタ部３
は、本体部５に対して、ヒンジ４を介して接続されている。ヒンジ４によって、モニタ部
３が本体部５に開閉可能に取り付けられている。モニタ部３は、被写体、記憶された画像
データ、設定情報、その他の情報を表示する液晶ディスプレイなどを有している。なお、
モニタ部３を開いた状態では、モニタ部３のモニタは、後方側、すなわちユーザ側を向い
て配置されている。タッチパネル機能を備える場合には、モニタ部３のディスプレイが操
作部の一部となる。
【００１９】
レンズ６は、外部の光を撮像装置１００内の撮像素子に導くものであり、光量調整装置
として用いられる絞り装置が設けられている。また、本体部５には、撮像素子、制御回路
等が配置されている。撮像装置１００は、レンズ６を通して伝播してきた光を受光して、
被写体を撮像する。さらに、本体部５のモニタ部３が設けられた左側面と対向する右側面
には、バッテリが収納されている。バッテリは、本体部５に対して脱着可能に設けられ、
撮像装置１００のモニタ部３や撮像素子に電源を供給する。
【００２０】
以下、レンズ６に設けられた絞り装置６００について詳細に説明する。図３は絞り装置
６００の動作を説明するための概念図である。レンズ６の開口部６０１の光量を調整して
略正八角形の開口形状６０２を形成する。説明のため、要部以外は図示しておらず、一対
の絞り羽根毎に説明する。
【００２１】
まず、図３（ａ）を用いて、撮像装置１００のｙ軸方向に直動する一対の絞り羽根につ
いて説明する。直動とは、回転あるいは、揺動に対して、絞り羽根をスライドさせて直線
的に動作させることをいい、以下同様に説明する。光軸に直交する面内で光軸に対してｙ
軸方向に離接するよう互いに連動して作動する第１直進絞り羽根６１と第２直進絞り羽根
６２とを備えている。第１直進絞り羽根６１、第２直進絞り羽根６２は、それぞれ第１直
進絞り羽根駆動ボス６６１、第２直進絞り羽根駆動ボス６６２を介して駆動アーム６６に
駆動アーム回転軸６６５から等距離の位置に連結される。
【００２２】
駆動アーム６６は、駆動アーム回転軸６６５を中心に回動する。駆動アーム６６を同図
の矢印方向に回動させると、それぞれ第１直進絞り羽根駆動ボス６６１、第２直進絞り羽
根駆動ボス６６２は連動してｙ軸方向の矢印方向に直動する。これにより、第１直進絞り
羽根６１と第２直進絞り羽根６２とは、間隙を狭める方向に直動してレンズ６の開口部６
０１の光量を調整して開口形状６０２を形成する。
【００２３】
次に、図３（ｂ）を用いて、撮像装置１００のｘ軸方向に直動する一対の絞り羽根につ
いて説明する。光軸に直交する面内で光軸に対してｘ軸方向に離接するよう互いに連動し
て作動する第３直進絞り羽根６３と第４直進絞り羽根６４とを備えている。第３直進絞り
羽根６３、第４直進絞り羽根６４は、それぞれ第３直進絞り羽根駆動ボス６６３、第４直
進絞り羽根駆動ボス６６４を介して駆動アーム６６に駆動アーム回転軸６６５から等距離
の位置に連結される。
【００２４】
駆動アーム６６は、駆動アーム回転軸６６５を中心に回動する。駆動アーム６６を同図
の矢印方向に回動させると、それぞれ第３直進絞り羽根駆動ボス６６３、第４直進絞り羽
根駆動ボス６６４は連動してｘ軸方向の矢印方向に直動する。これにより、第３直進絞り
羽根６３と第４直進絞り羽根６４とは、間隙を狭める方向に直動してレンズ６の開口部６
０１の光量を調整して開口形状６０２を形成する。
【００２５】
実際には、絞り装置６００は、図３（ｃ）に示すように第１直進絞り羽根６１、第２直
進絞り羽根６２、第３直進絞り羽根６３、第４直進絞り羽根６４の一対の絞り羽根２組が
ｚ軸方向に並んで設けられている。駆動アーム６６を駆動アーム回転軸６６５を中心に回
動させることにより、それぞれ第１直進絞り羽根６１、第２直進絞り羽根６２を、光軸に直交する面内で光軸に対してｙ軸方向に離接するよう互いに連動して作動させると共に、第３直進絞り羽根６３、第４直進絞り羽根６４を、光軸に直交する面内で光軸に対してｘ軸方向に離接するよう互いに連動して作動させる。このとき、第１直進絞り羽根６１と第２直進絞り羽根６２との絞り羽根の組、第３直進絞り羽根６３と第４直進絞り羽根６４との絞り羽根の組も連動して駆動される。
【００２６】
従って、駆動アーム６６を駆動アーム回転軸６６５を中心に回動させることにより、こ
れら第１直進絞り羽根６１、第２直進絞り羽根６２、第３直進絞り羽根６３、第４直進絞
り羽根６４は連動して直動して、同図に示すように、レンズ６の開口部６０１の光量を調
整して円に近い多角形の開口形状６０２を形成することができる。この例では、これら第
１直進絞り羽根６１、第２直進絞り羽根６２、第３直進絞り羽根６３、第４直進絞り羽根
６４の直進絞り羽根のそれぞれの頂角を１３５度とすることで、レンズ６の開口部６０１
の開口形状６０２は、調整する光量によらず略正八角形の相似形を形成することができる
。
【００２７】
上述のように２枚ずつ２組計４枚の直動する絞り羽根によりレンズの開口径が形成され
る。１組の絞り羽根はｙ軸方向に、互いに反対方向に直動し、もう１組の絞り羽根は、ｘ
軸向に互いに反対方向に直動する。これらは、後述するベースに設けられたボスによって
ガイドされ安定した直動が可能となっている。
【００２８】
また、２枚ずつ２組計４枚の直動する絞り羽根は、４枚とも一つの駆動アームに連結さ
れ、駆動アームが回動することでベースに設けられたガイドボスに沿って直動する。駆動
アームは略十字になっており、ｙ軸方向に直動する絞り羽根は駆動アームの左右のボスに
連結し、ｘ軸方向に直動する絞り羽根は、駆動アームの上下のボスに連結している。そし
て、これら２枚ずつ２組計４枚の直動する絞り羽根は、それぞれ垂直に交差した位置に配
置されている。これら２枚ずつ２組計４枚の直動する絞り羽根で形成される開口形状は、
光軸を中心とした円に近い多角形を形成する。
【００２９】
さらに、それぞれの絞り羽根の頂角を１３５度とすることで、４枚の直動する絞り羽根
で形成される開口形状は、調整する光量によらず略正八角形の相似形を形成することがで
きる。そして、駆動アームのボス位置はｙ軸方向ｘ軸方向とも、駆動アーム回転の中心軸
からの距離は同一であるため駆動アームが回動したときの羽根が作る開口形状は、相似形
となり虹彩絞りが実現できる。
【００３０】
次に、図４を用いて、絞り装置６００について説明する。絞り装置６００は、レンズ６
を有するレンズ鏡筒内部に設けられており、図４は、絞り装置６００をｚ軸方向にレンズ
バリア１０側からみた図である。
【００３１】
ベース６５上にレンズバリア１０側から、第１直進絞り羽根６１、第２直進絞り羽根６
２、第３直進絞り羽根６３、第４直進絞り羽根６４がそれぞれ、第１直進絞り羽根駆動ボ
ス６６１、第２直進絞り羽根駆動ボス６６２、第３直進絞り羽根駆動ボス６６３、第４直
進絞り羽根駆動ボス６６４を介して、駆動アーム回転軸６６５（同図においては、第４直
進絞り羽根６４の後ろにあり不図示）から等距離で駆動アーム６６に係止されている。
【００３２】
同図において、絞り装置６００は全開状態であり、開口形状６０２は、レンズ６の開口部６０１になっている。そして、第１直進絞り羽根６１、第２直進絞り羽根６２、第３直進絞り羽根６３、第４直進絞り羽根６４は、駆動アーム６６が回動することでベース６５に設けられた後述のガイドボスに沿って直動する。駆動アーム６６は略十字になっており、ｙ軸方向に直動する絞り羽根である、第１直進絞り羽根６１、第２直進絞り羽根６２は、駆動アーム６６の左右のボスである、第１直進絞り羽根駆動ボス６６１、第２直進絞り羽根駆動ボス６６２にそれぞれ嵌合され駆動される。
【００３３】
ｘ軸方向に直動する絞り羽根である、第３直進絞り羽根６３、第４直進絞り羽根６４は、駆動アーム６６の上下のボスである、第３直進絞り羽根駆動ボス６６３、第４直進絞り羽根駆動ボス６６４にそれぞれ嵌合され駆動される。そして、これら２枚ずつ２組計４枚の直動する絞り羽根は、それぞれ垂直に交差した位置に配置されている。従って、駆動アーム６６が回動することでこれら第１直進絞り羽根６１、第２直進絞り羽根６２、第３直進絞り羽根６３、第４直進絞り羽根６４で形成される開口形状は、光軸を中心とした円に近い多角形を形成する。なお、これら直進絞り羽根の設置順はこの限りではなく、いずれの順序でもよい。
【００３４】
以下、順に絞り装置６００の構成要素について説明する。図５を用いて、第１直進絞り
羽根６１について説明する。第１直進絞り羽根６１は、駆動アーム６６の第１直進絞り羽根駆動ボス６６１に嵌合され駆動される。また、第１直進絞り羽根６１には、第１直進絞り羽根６１を直線的に動作させるための第１直進絞り羽根ガイド孔６１２が設けられ、ベース６５に設けられたガイドボス６５２によってガイドされ安定した直動が可能となっている。なお、符号６１３は、他の直線絞り羽根をガイドするガイドボスを逃げるための逃げ溝である。
【００３５】
図６を用いて、第２直進絞り羽根６２について説明する。第２直進絞り羽根６２は、駆動アーム６６の第２直進絞り羽根駆動ボス６６２に嵌合され駆動される。また、第２直進絞り羽根６２には、第２直進絞り羽根６２を直線的に動作させるための第２直進絞り羽根ガイド孔６２２が設けられ、ベース６５に設けられたガイドボス６５２によってガイドされ安定した直動が可能となっている。なお、符号６２３は、他の直線絞り羽根をガイドするガイドボスを逃げるための逃げ溝である。
【００３６】
図７を用いて、第３直進絞り羽根６３について説明する。第３直進絞り羽根６３は、駆動アーム６６の第３直進絞り羽根駆動ボス６６３に嵌合され駆動される。また、第３直進絞り羽根６３には、第３直進絞り羽根６３を直線的に動作させるための第３直進絞り羽根ガイド孔６３２が設けられ、ベース６５に設けられたガイドボス６５２によってガイドされ安定した直動が可能となっている。なお、符号６３３は、他の直線絞り羽根をガイドするガイドボスを逃げるための逃げ溝である。
【００３７】
図８を用いて、第４直進絞り羽根６４について説明する。第４直進絞り羽根６４には、
駆動アーム６６の第１直進絞り羽根駆動ボス６６４に勘合され駆動される。また、直線的
に動作させるための第１直進絞り羽根ガイド孔６４２が設けられ、ベース６５に設けられ
たガイドボス６５２によってガイドされ安定した直動が可能となっている。
【００３８】
図９を用いて、ベース６５について説明する。レンズ６の開口部６０１が設けられてお
り、第１直進絞り羽根６１、第２直進絞り羽根６２、第３直進絞り羽根６３、第４直進絞
り羽根６４を駆動することで光量を調整して円に近い多角形の開口形状６０２を形成して
いる。そのため、各直進絞り羽根に対応したガイドボス６５２が設けられている。また、
駆動アーム６６を収納するための凹部であり、中心に駆動アーム６６を駆動する動力を伝
播するための機構を収める孔を有する駆動アーム収納部６５１が設けられている。
【００３９】
図１０を用いて、駆動アーム６６について説明する。駆動アーム６６は同図に示すよう
に略十字になっており、駆動アーム回転軸６６５から等距離の位置にそれぞれ、第１直進
絞り羽根６１、第２直進絞り羽根６２、第３直進絞り羽根６３、第４直進絞り羽根６４に
対応した第１直進絞り羽根駆動ボス６６１、第２直進絞り羽根駆動ボス６６２、第３直進
絞り羽根駆動ボス６６３、第４直進絞り羽根駆動ボス６６４を備えている。
【００４０】
駆動アーム回転軸６６５から等距離の位置にそれぞれ、第１直進絞り羽根６１、第２直
進絞り羽根６２、第３直進絞り羽根６３、第４直進絞り羽根６４に対応した第１直進絞り
羽根駆動ボス６６１、第２直進絞り羽根駆動ボス６６２、第３直進絞り羽根駆動ボス６６
３、第４直進絞り羽根駆動ボス６６４を備えている。
【００４１】
駆動アーム６６は同図に示すように略十字になっており、駆動アーム６６は、ベース６
５に設けられている駆動アーム収納部６５１に収められている。また、駆動アーム６６を
駆動するための例えば、駆動モータ６９０を駆動アーム収納部６５１中心の孔を介してベ
ース６５の駆動アーム６６からみて背面側に有している。
【００４２】
図１１を用いて絞り装置６００の組み立て構造について説明する。同図に示すように  
ベース６５上にレンズバリア１０側から、第１直進絞り羽根６１、第２直進絞り羽根６２
、第３直進絞り羽根６３、第４直進絞り羽根６４が配置され、それぞれ、第１直進絞り羽
根駆動ボス６６１、第２直進絞り羽根駆動ボス６６２、第３直進絞り羽根駆動ボス６６３
、第４直進絞り羽根駆動ボス６６４を介して、駆動アーム回転軸６６５から等距離で駆動
アーム６６に係止されている。
【００４３】
駆動アーム６６は、ベース６５に設けられている駆動アーム収納部６５１に収められて
いる。また、駆動アーム６６を駆動するための駆動モータ６６１を駆動アーム収納部６５
１中心の孔を介してベース６５の駆動アーム６６からみて背面側に有している。
【００４４】
図１２を用いて、開口形状６０２について説明する。同図（ａ）は、開口形状６０２が
全開状態であり、(ｂ)、(ｃ)、(ｄ)、(ｅ)、（ｆ）と順に第１直進絞り羽根６１、第２直
進絞り羽根６２、第３直進絞り羽根６３、第４直進絞り羽根６４が連動して光軸の方に直
動していき開口形状６０２を狭めていく様子を示したものである。
【００４５】
同図からもわかるように、２枚ずつ２組計４枚の直動する第１直進絞り羽根６１、第
２直進絞り羽根６２、第３直進絞り羽根６３、第４直進絞り羽根６４は、４枚とも一つの
駆動アーム６６に連結され、駆動アーム６６が回動することでベース６５に設けられたガ
イドボス６５２に沿って直動する。駆動アーム６６は略十字になっており、ｙ軸方向に直
動する絞り羽根は駆動アーム６６の左右のボスに連結し、ｘ軸方向に直動する絞り羽根は
、駆動アーム６６の上下のボスに連結している。そして、これら２枚ずつ２組計４枚の直
動する絞り羽根は、それぞれ垂直に交差した位置に配置されている。これら２枚ずつ２組
計４枚の直動する絞り羽根で形成される開口形状６０２は、光軸を中心とした円に近い多
角形を形成する。
【００４６】
本実施の形態では、それぞれの絞り羽根の頂角を１３５度とすることで、４枚の直動す
る絞り羽根で形成される開口形状は、調整する光量によらず略正八角形の相似形を形成す
ることができる。そして、駆動アームのボス位置はｙ軸方向ｘ軸方向とも、駆動アーム回
転の中心軸からの距離は同一であるため駆動アームが回動したときの羽根が作る開口形状
は、同図に示すように相似形となり虹彩絞りが実現できる。
【００４７】
さらに、図１３を用いて、開口形状６０２について説明する。図１３は、図１２の開口
形状６０２を、同図中段にｙ軸方向の第１直進絞り羽根６１、第２直進絞り羽根６２、同
図下段にｘ軸方向の第３直進絞り羽根６３、第４直進絞り羽根６４の動作に分解して説明
したもので、図１３の（ａ）、 (ｂ)、(ｃ)、(ｄ)、(ｅ)、（ｆ）は、図１２の（ａ）、 
(ｂ)、(ｃ)、(ｄ)、(ｅ)、（ｆ）にそれぞれ対応している。
【００４８】
従って、図１２と同様、図１３（ａ）は、開口形状６０２が全開状態であり、(ｂ)、(
ｃ)、(ｄ)、(ｅ)、（ｆ）と順に第１直進絞り羽根６１、第２直進絞り羽根６２、第３直
進絞り羽根６３、第４直進絞り羽根６４が連動して光軸方向に直動していき開口形状６０
２を狭めていく様子を示したものである。
【００４９】
上述の実施形態では、1つの角が１３５度の略正八角形によって構成した例に基づいて
説明したが、この角度は特に１３５度に限定しているわけではなく、それぞれの角が同じ
でなくても円に近似していればよい。また、それぞれの羽根の頂角部を変更して、更なる
多角形を形成してもよい。
【００５０】
また、多角形を形成する各稜線は、上述の実施形態では直線であったが、曲線であって
もよく、直線と曲線との組み合わせでもよい。
【００５１】
上述の説明ように、２枚ずつ２組計４枚の直動する絞り羽根によりレンズの開口径が形
成される。１組の絞り羽根はｙ軸方向に、互いに反対方向に直動し、もう１組の絞り羽根
は、ｘ軸向に互いに反対方向に直動する。駆動アームは略十字になっており、動アーム回
転の中心軸からのそれぞれの距離は同一であるため駆動アームが回動したときの羽根が作
る開口形状は、相似形となり虹彩絞りが実現できる。
【００５２】
また、本発明に係る絞り装置は、上述のように駆動アームのアーム長を短くすることが
でき、低トルクで絞り羽根を開閉することができる。アーム長は従来の直動型の絞り装置
と比較して半減となる。これにより低消費電力を実現することができる。
【００５３】
さらに、絞り羽根の駆動ストロークが短いため、絞り装置の高さ方向の小型化ができる
。絞り羽根の動作速度は、上下方向、左右方向で同じなため、駆動アームのボス位置も駆
動アームの駆動中心から同じ距離に設定すればよく、設計が容易である。絞り装置の開口
形状は、開口部を閉じきるまで常に相似形を保ち、小絞り時の扁平形状による光の回折を
極力少なくすることができる。
【符号の説明】
【００５４】
３  モニタ部
４  ヒンジ
５  本体部
６  レンズ
１０  レンズバリア
１７  レバー
１８  操作部
６１  第１直進絞り羽根
６２  第２直進絞り羽根
６３  第３直進絞り羽根
６４  第４直進絞り羽根
６５  ベース
６６  駆動アーム
６６１  第１直進絞り羽根駆動ボス
６６２  第２直進絞り羽根駆動ボス
６６３  第３直進絞り羽根駆動ボス
６６４  第４直進絞り羽根駆動ボス
６６５  駆動アーム回転軸
【図１】
2014197182.tif 000003
【図２】
2014197182.tif 000004
【図３】
2014197182.tif 000005
【図４】
2014197182.tif 000006
【図５】
2014197182.tif 000007
【図６】
2014197182.tif 000008
【図７】
2014197182.tif 000009
【図８】
2014197182.tif 000010
【図９】
2014197182.tif 000011
【図１０】
2014197182.tif 000012
【図１１】
2014197182.tif 000013
【図１２】
2014197182.tif 000014
【図１３】
2014197182.tif 000015